(57)【要約】【課題】部品を組み立てていく工程や完成品となっても非接触ＩＣタグとの無線通信を良好に行うことができるようにする。【解決手段】部品Ａ側には、非接触ＩＣタグ１が配設されているが、この非接触ＩＣタグ１には、アンテナ用配線Ｗ_Ａを介してアンテナＡＮＴ_Ａが接続され、また、アンテナ用配線Ｗ_ＡにアンテナＡＮＴ_Ａと並列に接続された接点部を有するコネクタＣＮ_Ａが設けられている。部品Ａの組み付け後に部品Ｂを組み付ける場合には、部品Ａ側のコネクタＣＮ_Ａと部品Ｂ側のコネクタＣＮ_Ｂ１とを接続する。部品Ｂはアンテナ部２を備えており、コネクタＣＮ_ＡとコネクタＣＮ_Ｂ１との接続により、非接触ＩＣタグ１のＩＣタグ本体１０に対して、部品Ｂに配設されたアンテナＡＮＴ_Ｂが接続されることになる。【選択図】  図１
2007102472.tif 000002
【特許請求の範囲】
【請求項１】
第１の部品に配設されたＩＣタグ本体と、前記第１の部品に配設された前記ＩＣタグ本体への電力供給及びデータの読み書き用の第１のアンテナと、前記第１の部品に配設された第１のコネクタであって、前記ＩＣタグ本体に対して前記第１のアンテナと並列に接続された第１の接点部を有する第１のコネクタとを有する非接触ＩＣタグと、
前記第１の部品の外側に位置する第２の部品に配設され、前記第１のコネクタと接続される第２のコネクタであって、前記第１の接点部と電気的に接続される第２の接点部を有する第２のコネクタと、前記第２の部品に配設され、前記第２のコネクタの第２の接点部と接続された第２のアンテナとを有するアンテナ部と、を備え、
前記第１のコネクタと第２のコネクタとを接続することにより前記ＩＣタグ本体に対するアンテナを第１のアンテナから第２のアンテナに切り替えることを特徴とする非接触ＩＣタグ装置。
【請求項２】
前記アンテナ部は、前記第２の部品に配設された第３のコネクタであって、前記第２のコネクタの第２の接点部と電気的に接続された第３の接点部を有する第３のコネクタを更に備えたことを特徴とする請求項１に記載の非接触ＩＣタグ装置。
【請求項３】
前記第１のコネクタは、前記ＩＣタグ本体と前記第１のアンテナとを接続するアンテナ用配線と、該アンテナ用配線を遮断するためのスイッチ手段とを有することを特徴とする請求項１に記載の非接触ＩＣタグ装置。
【請求項４】
前記アンテナ部の第２のコネクタは、前記第１のコネクタとの接続時に前記スイッチ手段を動作させて前記ＩＣタグ本体と第１のアンテナとの導通を遮断する遮断部材を有することを特徴とする請求項３に記載の非接触ＩＣタグ装置。
【請求項５】
前記第３のコネクタは、前記第２のコネクタと前記第２のアンテナとを接続するアンテナ用配線と、該アンテナ用配線を遮断するためのスイッチ手段とを有することを特徴とする請求項４に記載の非接触ＩＣタグ装置。
【請求項６】
部品毎に非接触ＩＣタグを配設するとともに、各非接触ＩＣタグに部品毎の製造工程情報を記録する工程と、
前記部品を組み立てる前に各非接触ＩＣタグから情報を読み取る工程と、
前記読み取った情報を統合する工程と、
前記部品を組み立てた後に最も外側に位置する部品に配設した非接触ＩＣタグに前記統合した情報を記録する工程と、
を含むことを特徴とする製造工程情報の管理方法。
【請求項７】
前記非接触ＩＣタグは指向性を有するアンテナを備え、各非接触ＩＣタグは、各部品の組み立て後にそれぞれアンテナの方向が異なるように各部品に取り付けられていることを特徴とする請求項６に記載の製造工程情報の管理方法。
【請求項８】
前記部品の組み立て時に内側に位置する部品に配設された非接触ＩＣタグのアンテナを遮断する工程を含むことを特徴とする請求項６に記載の製造工程情報の管理方法。
【発明の詳細な説明】
【技術分野】
【０００１】
本発明は非接触ＩＣタグ装置及び製造工程情報の管理方法に係り、特に完成品を構成する各部品を非接触ＩＣタグを利用して管理する技術に関する。
【背景技術】
【０００２】
従来、完成品を構成する各部品に非接触ＩＣタグを貼り付け、部品ごとに材料情報、工程情報等のデータを書き込み、途中工程又は完成品にてそれぞれ部品情報を読み取り、それを工程管理に活用する工程管理方法が提案されている（特許文献１）。
【特許文献１】特開２００３−２７１２１６号公報
【発明の開示】
【発明が解決しようとする課題】
【０００３】
しかしながら、特許文献１に記載の工程管理方法は、部品ごとに取り付けられた非接触ＩＣタグが製品内部に組み込まれると、各部品の非接触ＩＣタグとリーダ／ライタとの間で混信してデータの読み書きができなくなるという問題がある。また、製品内部に組み込まれて基板等に囲まれると、内部の部品の非接触ＩＣタグのアンテナがシールドされ、通信ができなくなるという問題がある。
【０００４】
そして、上記のように混信や通信不能となるため、各部品の非接触ＩＣタグは、部品レベルでは情報を持っているが、それらの部品を組み立てていく工程での情報は、付加することができない。
【０００５】
また、各部品に非接触ＩＣタグが貼り付けられるため、非接触ＩＣタグのメモリ容量に余裕があっても部品数だけ非接触ＩＣタグが取り付けたまま製品となり、非接触ＩＣタグの無駄が生じる。
【０００６】
本発明はこのような事情に鑑みてなされたもので、部品を組み立てていく工程や完成品となっても非接触ＩＣタグとの無線通信を良好に行うことができ、また、１つの非接触ＩＣタグを有効に活用することができる非接触ＩＣタグ装置及び製造工程情報の管理方法を提供することを目的とする。
【課題を解決するための手段】
【０００７】
上記目的を達成するために本発明に係る非接触ＩＣタグ装置は、第１の部品に配設されたＩＣタグ本体と、前記第１の部品に配設された前記ＩＣタグ本体への電力供給及びデータの読み書き用の第１のアンテナと、前記第１の部品に配設された第１のコネクタであって、前記ＩＣタグ本体に対して前記第１のアンテナと並列に接続された第１の接点部を有する第１のコネクタとを有する非接触ＩＣタグと、前記第１の部品の外側に位置する第２の部品に配設され、前記第１のコネクタと接続される第２のコネクタであって、前記第１の接点部と電気的に接続される第２の接点部を有する第２のコネクタと、前記第２の部品に配設され、前記第２のコネクタの第２の接点部と接続された第２のアンテナとを有するアンテナ部と、を備え、前記第１のコネクタと第２のコネクタとを接続することにより前記ＩＣタグ本体に対するアンテナを第１のアンテナから第２のアンテナに切り替えることを特徴としている。
【０００８】
即ち、第１の部品側には、非接触ＩＣタグが配設されているが、この非接触ＩＣタグには、アンテナ（第１のアンテナ）と並列に接続された第１の接点部を有する第１のコネクタが設けられている。第１の部品に対する情報は、前記第１のアンテナを介してＩＣタグ本体に記録することができる。前記第１の部品の組み付け後に第２の部品を組み付ける場合には、前記第１の部品側の第１のコネクタと、第２の部品側の第２のコネクタとを接続する。第２の部品はアンテナ部を備えており、前記第１、第２のコネクタの接続により、非接触ＩＣタグのＩＣタグ本体に対して新たなアンテナ（第２のアンテナ）が接続されることになる。従って、第２の部品の情報やその組み立て時の情報は、第２のアンテナを介して前記ＩＣタグ本体に追記していくことができる。尚、第１の部品側の第１のアンテナが第２の部品によってシールドされても第２の部品側の第２のアンテナを利用することができるため、通信不能になることがない。
【０００９】
上記非接触ＩＣタグ装置において、前記アンテナ部は、前記第２の部品に配設された第３のコネクタであって、前記第２のコネクタの第２の接点部と電気的に接続された第３の接点部を有する第３のコネクタを更に備えたことを特徴としている。この第３のコネクタを利用して、上記アンテナ部を備えた第３の部品、第４の部品…を次々に接続することができる。
【００１０】
上記非接触ＩＣタグ装置において、前記第１のコネクタは、前記ＩＣタグ本体と前記第１のアンテナとを接続するアンテナ用配線と、該アンテナ用配線を遮断するためのスイッチ手段とを有し、前記アンテナ部の第２のコネクタは、前記第１のコネクタとの接続時に前記スイッチ手段を動作させて前記ＩＣタグ本体と第１のアンテナとの導通を遮断する遮断部材を有している。これにより、前記第１の部品側の第１のコネクタと、第２の部品側の第２のコネクタとを接続すると、第１のアンテナを遮断することができ、第２のアンテナのみが通信可能となる。
【００１１】
上記非接触ＩＣタグ装置において、前記第３のコネクタは、前記第２のコネクタと前記第２のアンテナとを接続するアンテナ用配線と、該アンテナ用配線を遮断するためのスイッチ手段とを有することを特徴としている。これにより、上記構成のアンテナ部を備えた第３の部品、第４の部品…を次々に接続する場合に、順次内側の部品のアンテナを遮断することができる。
【００１２】
本発明に係る製造工程情報の管理方法は、部品毎に非接触ＩＣタグを配設するとともに、各非接触ＩＣタグに部品毎の製造工程情報を記録する工程と、前記部品を組み立てる前に各非接触ＩＣタグから情報を読み取る工程と、前記読み取った情報を統合する工程と、前記部品を組み立てた後に最も外側に位置する部品に配設した非接触ＩＣタグに前記統合した情報を記録する工程と、を含むことを特徴としている。
【００１３】
即ち、各部品を組み立てる工程で、部品毎に情報が記録されている非接触ＩＣタグからそれぞれ情報を読み込み、各情報を加え合わせて外側の部品の非接触ＩＣタグを記録する。これにより、外側の部品の非接触ＩＣタグに、内側の部品の情報を含む全ての情報が記録されるようになる。尚、内側の部品の非接触ＩＣタグのアンテナが外側の部品によってシールドされても、外側の部品の非接触ＩＣタグから内側の部品の情報を読み取ることができる。
【００１４】
上記製造工程情報の管理方法において、前記非接触ＩＣタグは指向性を有するアンテナを備え、各非接触ＩＣタグは、各部品の組み立て後にそれぞれアンテナの方向が異なるように各部品に取り付けられていることを特徴としている。これにより、リーダ／ライタのアンテナの指向性を、最も外側に位置する部品に配設した非接触ＩＣタグのアンテナの指向性と合わせることにより、内側の部品の非接触ＩＣタグとの混信を防止することができる。
【００１５】
上記製造工程情報の管理方法において、前記部品の組み立て時に内側に位置する部品に配設された非接触ＩＣタグのアンテナを遮断する工程を含むことを特徴としている。これにより、内側の部品の非接触ＩＣタグとの混信を防止することができる。
【発明の効果】
【００１６】
本発明によれば、外側の部品に配設されたアンテナを介して無線通信を行うことができるため、部品を組み立てていく工程や完成品となっても非接触ＩＣタグとの通信を良好に行うことができる。
【発明を実施するための最良の形態】
【００１７】
以下、添付図面に従って本発明に係る非接触ＩＣタグ装置及び製造工程情報の管理方法の好ましい実施の形態について説明する。
【００１８】
図１は本発明に係る非接触ＩＣタグ装置の実施の形態を示す概略構成図である。
【００１９】
同図において、部品Ａ、部品Ｂ、…、部品Ｎは、デジタルカメラ等の製品を構成する部品であり、例えば、製品の組み立て時に部品Ａ（基板）の次に部品Ｂ（別の基板）が組み込まれ、最後に部品Ｎが組み込まれる。
【００２０】
部品Ａには、非接触ＩＣタグ１が取り付けられ、部品Ｂにはアンテナ部２が取り付けられ、部品Ｃにはアンテナ部３が取り付けられる。
【００２１】
部品Ａに取り付けられる非接触ＩＣタグ１は、ＩＣタグ本体１０と、このＩＣタグ本体１０への電力供給及びデータの読み書き用のアンテナＡＮＴ_Ａと、ＩＣタグ本体１０とアンテナＡＮＴ_Ａとを接続するアンテナ用配線Ｗ_Ａと、このアンテナ用配線Ｗ_Ａの途中に設けられたコネクタＣＮ_Ａとから構成されている。
【００２２】
即ち、非接触ＩＣタグ１のＩＣタグ本体１０は、アンテナ用配線Ｗ_Ａ、及びコネクタＣＮ_Ａを介してアンテナＡＮＴ_Ａと接続され、このアンテナＡＮＴ_Ａから電磁誘導により電力の供給を受けるとともに、データの読み書きが行われる。
【００２３】
部品Ｂに取り付けられるアンテナ部２は、アンテナＡＮＴ_Ｂと、コネクタＣＮ_Ｂ１，コネクタＣＮ_Ｂ２と、コネクタＣＮ_Ｂ１とコネクタＣＮ_Ｂ２とを接続するとともにアンテナＡＮＴ_Ｂに接続されたアンテナ用配線Ｗ_Ｂとから構成されている。
【００２４】
部品ＢのコネクタＣＮ_Ｂ１は、部品Ｂの組み込み時に部品ＡのコネクタＣＮ_Ａと接続される。その結果、部品ＢのアンテナＡＮＴ_Ｂは、コネクタＣＮ_Ｂ、アンテナ用配線Ｗ_Ｂ、コネクタＣＮ_Ｂ１、コネクタＣＮ_Ａ、及びアンテナ用配線Ｗ_Ａを介してＩＣタグ本体１０と電気的に接続される。
【００２５】
これにより、図示しない管理側のリーダ／ライタは、部品ＡのアンテナＡＮＴ_Ａが部品Ｂによってシールドされても、部品ＢのアンテナＡＮＴ_Ｂを介してＩＣタグ本体１０と通信することができ、部品Ｂの組み付け後に部品Ｂに関する情報や、部品Ｂの組立工程での情報を記録することができる。
【００２６】
部品Ｎは、製品の一番外側にくる部品であり、この部品Ｎに取り付けられるアンテナ部３は、アンテナＡＮＴ_Ｎと、コネクタＣＮ_Ｎとから構成されている。尚、コネクタＣＮ_Ｎは、部品Ｎの前に組み込まれる部品のコネクタと接続され、その結果、アンテナＡＮＴ_Ｎは、ＩＣタグ本体１０と電気的に接続されるようになる。
【００２７】
＜接続部の第１の実施形態＞  
図２は主として非接触ＩＣタグとアンテナ部との接続部の第１の実施の形態を示す図である。
【００２８】
部品Ａ側のコネクタＣＮ_Ａは、アンテナ用配線Ｗ_ＡとアンテナＡＮＴ_Ａとの導通を遮断するための常閉接点のスイッチＳＷ_Ａ１、ＳＷ_Ａ２を有するとともに、ＩＣタグ本体１０に対してアンテナＡＮＴ_Ａと並列に接続された端子Ｔ_Ａを有している。
【００２９】
一方、前記コネクタＣＮ_Ａと接続される部品Ｂ側のコネクタＣＮ_Ｂ１は、前記コネクタＣＮ_Ａの端子Ｔ_Ａと接続される端子Ｔ_Ｂ１を有するとともに、コネクタ接続時にスイッチＳＷ_Ａ１、ＳＷ_Ａ２の接点を開くための突起部Ｐ_Ｂを有している。
【００３０】
また、部品Ｂ側の他方のコネクタＣＮ_Ｂ２は、コネクタＣＮ_Ａと同様に構成されており、アンテナ用配線Ｗ_ＢとアンテナＡＮＴ_Ｂとの導通を遮断するための常閉接点のスイッチＳＷ_Ｂ１、ＳＷ_Ｂ２を有するとともに、ＩＣタグ本体１０に対してアンテナＡＮＴ_Ｂと並列に接続された端子Ｔ_Ｂを有している。
【００３１】
部品Ｂの組み立て時にコネクタＣＮ_Ｂ１をコネクタＣＮ_Ａに接続すると、コネクタＣＮ_Ａの端子Ｔ_ＡがコネクタＣＮ_Ｂ１の端子Ｔ_Ｂ１に接続され、部品Ｂ側のアンテナＡＮＴ_ＢがＩＣタグ本体１０と接続されるとともに、コネクタＣＮ_Ｂの突起部Ｐ_ＢによってスイッチＳＷ_Ａ１、ＳＷ_Ａ２の接点が開き、アンテナＡＮＴ_Ａがアンテナ用配線Ｗ_Ａから切り離される。
【００３２】
尚、コネクタＣＮ_Ａ、コネクタＣＮ_Ｂ１、ＣＮ_Ｂ２としては、基板間を接続するためのコネクタを利用してもよい。
【００３３】
＜接続部の第２の実施形態＞  
図３は主として非接触ＩＣタグとアンテナ部との接続部の第３の実施の形態を示す図である。
【００３４】
部品Ｎに取り付けられるアンテナ部３は、アンテナＡＮＴ_Ｎと、コネクタＣＮ_Ｎとから構成されており、コネクタＣＮ_Ｎは、アンテナＡＮＴ_Ｎと接続されている端子Ｔ_Ｎを有するとともに、コネクタ接続時にスイッチの接点を開くための突起部Ｐ_Ｎを有している。
【００３５】
このアンテナ部３は、製品の一番外側にくる部品Ｎに取り付けられるため、１つのコネクタＣＮ_Ｎのみを有している。
【００３６】
尚、金属製の筐体が一番外側にくる部品の場合には、少なくともアンテナＡＮＴ_Ｎを設ける部分を、例えばプラスチック製とし、アンテナＡＮＴ_Ｎがシールドされないようにする。また、主として内側の部品と外側の部品とによって構成される製品の場合には、図３に示したように１つのアンテナ部３のみが接続されることになる。
【００３７】
＜接続部の第３の実施形態＞  
図４は主として非接触ＩＣタグとアンテナ部との接続部の第３の実施の形態を示す図である。
【００３８】
部品Ａに配設される非接触ＩＣタグ１’は、ＩＣタグ本体１０と、アンテナＡＮＴ_Ａと、アンテナ用配線Ｗ_Ａと、コネクタＣＮ_Ａ’とから構成されている。即ち、この非接触ＩＣタグ１’は、市販の非接触ＩＣタグのアンテナＡＮＴ_Ａに、アンテナ用配線Ｗ_Ａ及びコネクタＣＮ_Ａ’を取り付けて構成されている。
【００３９】
アンテナ用配線Ｗ_Ａは、ＩＣタグ本体１０に対してアンテナＡＮＴ_Ａと並列に接続され、コネクタＣＮ_Ａ’は、このアンテナ用配線Ｗ_Ａの端子Ｔ_Ａ’を有している。
【００４０】
一方、部品Ｂに配設されるアンテナ部２’は、コネクタＣＮ_Ｂ１’、コネクタＣＮ_Ｂ２’、アンテナ用配線Ｗ_Ｂ、及びアンテナＡＮＴ_Ｂから構成されている。
【００４１】
コネクタＣＮ_Ｂ１’及びコネクタＣＮ_Ｂ２’は、同様に構成されており、それぞれ端子Ｔ_Ｂ１’、端子Ｔ_Ｂ２’を有している。これらの端子Ｔ_Ｂ１’、Ｔ_Ｂ２’の間は、アンテナ用配線Ｗ_Ｂで接続され、また、アンテナ用配線Ｗ_Ｂには、アンテナＡＮＴ_Ｂが接続されている。
【００４２】
部品Ｂの組み立て時にコネクタＣＮ_Ｂ１’を部品ＡのコネクタＣＮ_Ａ’に接続すると、コネクタＣＮ_Ａ’の端子Ｔ_Ａ’がコネクタＣＮ_Ｂ１’の端子Ｔ_Ｂ１’に接続され、部品Ｂ側のアンテナＡＮＴ_ＢがＩＣタグ本体１０と接続される。
【００４３】
これにより、部品Ａの非接触ＩＣタグ１’のアンテナ用配線Ｗ_Ａが部品Ｂによってシールドされても、部品Ｂ側のアンテナＡＮＴ_Ｂによって通信が可能になる。
＜接続部の第４の実施形態＞  
図５は主として非接触ＩＣタグとアンテナ部との接続部の第４の実施の形態を示す図である。
【００４４】
部品Ｎに取り付けられるアンテナ部３は、アンテナＡＮＴ_Ｎと、コネクタＣＮ_Ｎ’とから構成されており、コネクタＣＮ_Ｎ’は、アンテナＡＮＴ_Ｎと接続されている端子Ｔ_Ｎ’を有している。
【００４５】
このアンテナ部３は、製品の一番外側にくる部品Ｎに取り付けられるため、１つのコネクタＣＮ_Ｎ’のみを有している。
＜製造工程情報の管理方法＞
図６は本発明の係る製造工程情報の管理方法を実現するシステム構成を示す図である。
【００４６】
同図において、部品Ａ、部品Ｂ、…部品Ｎには、それぞれ非接触ＩＣタグＡ１、Ｂ１、…Ｎ１が取り付けられている。
【００４７】
リーダ／ライタ２０は、各部品の非接触ＩＣタグと通信し、各部品の生産情報等の情報の読み書きを行い、コントローラ３０は、受信した各部品の情報を一元管理できるように書き直して保存するデータベースを有している。
【００４８】
各部品の非接触ＩＣタグには、事前に生産情報がその部品の生産時に記録される。
【００４９】
次に、各部品の組み立て時の製造工程情報の管理方法について説明する。
【００５０】
図７に示すように、まず、部品Ａの非接触ＩＣタグＡ１から生産情報をリーダ／ライタ２０により読み取る（ステップＳ１０）。同様に、部品Ｂの非接触ＩＣタグＢ１から生産情報を、部品Ｂを組み付ける前にリーダ／ライタ２０により読み取る（ステップＳ１２）。これらの読み取った情報は、コントローラ３０に保存するとともに、非接触ＩＣタグＡ１，Ｂ１の情報を消去する。
【００５１】
次に、部品Ｂを組み込む（ステップＳ１４）。この組み込んだ部品Ｂの非接触ＩＣタグＢ１に対して、コントローラ３０に保存した部品Ａ、Ｂの生産情報を記録し、また、部品Ｂの組み立て工程での情報も追記する（ステップＳ１６）。
【００５２】
以下、新たに部品を組み込むごとに、上記ステップＳ１０〜ステップＳ１６と同様な処理を行う。これにより、製品の一番外側にくる部品Ｎの非接触ＩＣタグＮ１に、全ての部品の生産情報及び組み立て工程の情報を記録する（ステップＳ１８）。
【００５３】
図８は各部品に対する非接触ＩＣタグの取り付け方向の一例を示す図である。
【００５４】
各品Ａ、Ｂ、Ｃに取り付けられる非接触ＩＣタグＡ１、Ｂ１、Ｃ１は、それぞれ指向性を有するアンテナＡＮＴ_Ａ、ＡＮＴ_Ｂ、ＡＮＴ_Ｃを備えている。
【００５５】
これらの非接触ＩＣタグＡ１、Ｂ１、Ｃ１は、各部品の組み立て後にそれぞれアンテナの方向が異なるように（この実施の形態では、４５度ずつ異なるように）、各部品に取り付けられる。
【００５６】
これにより、リーダ／ライタ２０のアンテナの指向性を、最も外側に位置する部品に配設した非接触ＩＣタグのアンテナの指向性と合わせることにより、内側の部品の非接触ＩＣタグとの混信を防止することができる。
【００５７】
また、新たな部品の組み込み時に、その前に組み込まれた部品に配設された非接触ＩＣタグのアンテナを遮断し、これにより、内側の部品の非接触ＩＣタグとの混信を防止するようにしてもよい。
【図面の簡単な説明】
【００５８】
【図１】図１は本発明に係る非接触ＩＣタグ装置の実施の形態を示す概略構成図である。
【図２】図２は主として非接触ＩＣタグとアンテナ部との接続部の第１の実施の形態を示す図である。
【図３】図３は主として非接触ＩＣタグとアンテナ部との接続部の第２の実施の形態を示す図である。
【図４】図４は主として非接触ＩＣタグとアンテナ部との接続部の第３の実施の形態を示す図である。
【図５】図５は主として非接触ＩＣタグとアンテナ部との接続部の第４の実施の形態を示す図である。
【図６】図６は本発明の係る製造工程情報の管理方法を実現するシステム構成を示す図である。
【図７】図７は各部品の組み立て時の製造工程情報の管理方法を説明するために用いたフローチャートである。
【図８】図８は各部品に対する非接触ＩＣタグの取り付け方向の一例を示す図である。
【符号の説明】
【００５９】
１、１’、Ａ１、Ｂ１、Ｃ１…非接触ＩＣタグ、２、２’、３、３’…アンテナ部、１０…ＩＣタグ本体、２０…リーダ／ライタ、３０…コントローラ、Ａ、Ｂ、Ｃ、Ｎ…部品、ＡＮＴ_Ａ、ＡＮＴ_Ｂ、ＡＮＴ_Ｃ、ＡＮＴ_Ｎ…アンテナ、ＣＮ_Ａ、ＣＮ_Ａ’、ＣＮ_Ｂ１、ＣＮ_Ｂ１’、ＣＮ_Ｂ２、ＣＮ_Ｂ２’、ＣＮ_Ｎ、ＣＮ_Ｎ’…コネクタ、Ｐ_Ｂ、Ｐ_Ｎ…突起部、ＳＷ_Ａ１、ＳＷ_Ａ２、ＳＷ_Ｂ１、ＳＷ_Ｂ２…スイッチ、Ｔ_Ａ、Ｔ_Ａ’、Ｔ_Ｂ１、Ｔ_Ｂ１’、Ｔ_Ｂ２、Ｔ_Ｂ２’、Ｔ_Ｎ、Ｔ_Ｎ’…端子、Ｗ_Ａ、Ｗ_Ｂ…アンテナ用配線
【図１】
2007102472.tif 000003
【図２】
2007102472.tif 000004
【図３】
2007102472.tif 000005
【図４】
2007102472.tif 000006
【図５】
2007102472.tif 000007
【図６】
2007102472.tif 000008
【図７】
2007102472.tif 000009
【図８】
2007102472.tif 000010